(57)【要約】【課題】スリッパやサンダルなどのように主として室内で使用される室内履きにおいて、夜間の暗闇においても電灯の点灯なしで安全に歩くことができるようにすること。【解決手段】足に履く左右一対の室内履き１１であって、当該室内履き１１の履物台２１に、踏まれたことを検知する圧力センサが設けられるとともに、該圧力センサの検知に基づいて導電され発光する光源としてのＬＥＤ（発光ダイオード）４１…が、当該室内履き１１の爪先側部位に設けられた室内履き１１。足で踏むだけでＬＥＤ４１…が点灯する。またＬＥＤ４１…は、前方および／または下方を照らすようにその向きが設定され、歩行に際して、床面を照らす。【選択図】図２
2008086559.tif 000002
【特許請求の範囲】
【請求項１】
足に履く左右一対の室内履きであって、
当該室内履きの一部が足で踏まれたときに導電されて発光する光源が、爪先側部位に設けられ、
上記光源の向きが、前方および／または下方を照らすように設定された
室内履き。
【請求項２】
接足面を有する履物台に、圧力を受けたときに前記光源の発光制御回路に電圧を印加する圧力センサが設けられた
請求項１に記載の室内履き。
【請求項３】
当該室内履きの爪先側部分の上面に、上方に立ち上がる立ち上がり部が形成されるとともに、
該立ち上がり部の先端部に、前記光源が設けられた
請求項１または請求項２に記載の室内履き。
【請求項４】
接足面を有する履物台に、物品を収納可能とする中空の袋状部が形成された
請求項１から請求項３のうちのいずれか一項に記載の室内履き。
【発明の詳細な説明】
【技術分野】
【０００１】
この発明は、スリッパやサンダルなどのように主として室内で使用される室内履きに関し、より詳しくは、夜間の暗い廊下でも電灯の点灯なしで歩くことを可能にするような室内履きに関する。
【背景技術】
【０００２】
発光装置を有する履物は、たとえば下記特許文献１や特許文献２のように古くから提案されている。
【０００３】
このような履物は、足に履いた歩行者が夜間に外出する際に、車両等の運転者に対して歩行者の存在を知らせて、事故を未然に防ぐために開発されたもので、履物の踵部分や側面に発光のための手段が設けられている。
【０００４】
しかし、スリッパのような室内履きにおいて発光装置を有するものは存在しなかった。このため、当然のことながら、歩行のために発光する光源を有するものも存在しない。
【０００５】
ところで、たとえば夜間の就寝中、トイレに起きる場合には、周りの者の睡眠を邪魔しないように配慮がなされるが、このような配慮とトイレに起きる者の安全との両立を図ることは難しい。
【０００６】
つまり、周りの者の睡眠を邪魔しないようにするためには、静かに起きた上で、寝室の電灯を点けず、しかも音を立てずに歩くことが必要になるが、床面には段差や物などの障害があるうえに足元が暗いため、躓いたりするおそれがある。
【０００７】
このようなおそれを避けるためには、枕元のスタンドを点けたり、小型の懐中電灯を枕元に用意したりすることが考えられるが、前者の場合には隣に寝ている者を起してしまう場合があり、後者の場合には勘違い等により懐中電灯を置いたはずの場所にそれが無かったりして探すのに苦労する場合がある。また、懐中電灯を点灯するのに、スイッチの場所や操作の仕方がわからなかったりすることもある。このような場合には、目がさえてしまい、寝室や廊下の電灯をこうこうと点けた場合と同様に、引き続いての睡眠に支障がでることがある。
【特許文献１】特開平６−２０９８０７号公報
【特許文献２】特開平１０−５０１０１号公報
【発明の開示】
【発明が解決しようとする課題】
【０００８】
そこで、この発明は、足で踏まれることで光る光源を備えた室内履きを提供し、夜間における暗闇での静かで安全な歩行に資することを主たる課題とする。
【課題を解決するための手段】
【０００９】
そのための手段は、足に履く左右一対の室内履きであって、当該室内履きの一部が足で踏まれたときに導電されて発光する光源が、爪先側部位に設けられ、上記光源の向きが、前方および／または下方を照らすように設定された室内履きである。
【００１０】
上記光源には、たとえば発光ダイオードや小型電球などが使用され、その数は、１個でも複数個でもよい。
【００１１】
また、上記光源は、足で踏まれた時にその圧力や体温によって発光するように制御できる。発光は踏まれた時だけ行われるほか、踏まれた後に所定時間の間行われるようにするもよい。
【００１２】
さらに、光源の発光は、左右のうちいずれか一方の室内履きが踏まれた時にその一方の室内履きの光源が発光するように構成するも、他方の室内履きの光源が発光するように構成するも、さらには双方の室内履きの光源が発光するように構成するもいずれでもよい。
【００１３】
このような構成の室内履きでは、室内履きを踏むだけで爪先側部位に設けられた光源が発光し、前方および／または下方を照らす。このため、別途に照明は必要なく、室内履きを履くだけで、爪先側すなわち進行方向の床面を照らすことができ、安全に歩行が行える。
【発明の効果】
【００１４】
以上のように、この発明によれば、足で踏むだけで照明できる室内履きが得られ、たとえば夜間にトイレに起きる時に、隣の者を起してしまうことなく静かに起きて安全に歩行することができる。トイレに起きる時のほか、夜間に帰宅した時や、倉庫や書庫、納戸などの暗い部屋に入る時などにも便利である。
【発明を実施するための最良の形態】
【００１５】
この発明を実施するための一形態を、以下図面を用いて説明する。  
図１は、室内履き１１の斜視図であり、室内履きの一例として、足の全体をすっぽりと包み込む形態の室内履き１１を示している。
【００１６】
すなわち、図２にも示したように、室内履き１１は、足裏が接触する接足面２１ａを有する履物台２１と、この上面側で足首より下の足全体を覆うアッパ３１とを一体に有した形状で、アッパ３１の上端部で足首に対応する部位に、開口部３２が形成されている。
【００１７】
履物台２１は、その略全長にわたって上下二重構造に形成され、中間層に、中空の袋状部２２を有する。袋状部２２より下側の本底部２３は、芯材２３ａと、これを被覆する布帛製の被覆材２３ｂとで形成されている。袋上部２２より上側の中底部２４は、中綿２４ａと、これを被覆する布帛製の被覆材２４ｂとで形成される。
【００１８】
アッパ３１は、中綿３１ａとこれを被覆する布帛製の被覆材３１ｂで形成され、上記本底部２３の前端縁（爪先側の端縁）と後端縁（踵側の端縁）とに対向する部位には、垂下片３３，３４が一体形成されている。この垂下片３３，３４の内側面には、面ファスナの一方３３ａ，３４ａが取り付けられ、対向する本底部２３の対応部位には、面ファスナの他方またはこれと同等の性状を有する部分２３ｃが形成されており、袋状部２２の前端縁と後端縁を閉鎖できるように構成されている。
【００１９】
また、アッパ３１の爪先側の上面には、角のように立ち上がって爪先側に向けて湾曲する形状の立ち上がり部３５が形成されている。この立ち上がり部３５は、履物台２１とアッパ３１とで形作られる外観と観念的に統一を持たせるような適宜の形態に形成される。
【００２０】
そしてこの、立ち上がり部３５の先端と、アッパ３１の前面には、光源としてのＬＥＤ（発光ダイオード）４１…が設けられている。この例においてＬＥＤ４１…は、各立ち上がり部３５に１個ずつの２個と、アッパ３１の爪先側前面の上側に左右１個ずつの２個と、アッパ３１の爪先側側面の左右に１個ずつの２個、合計６個、設けられ、それぞれが前方を照らすような方向に向けられている。
【００２１】
ＬＥＤ４１…の取り付けは、各部の表面の所定位置に穴をあけて、この穴からＬＥＤ４１が突出するように行う。
【００２２】
また、これらＬＥＤ４１…の発光を行う契機を得るため、足で踏まれた時の圧力を検知して発光制御回路５１（図３参照）に電圧を印加する圧力センサ５２が、履物台２１の袋状部２２における足裏の踵に対応する部位に収納されている。
【００２３】
発光制御回路５１は基板に搭載され、電源としての電池５３とともにパッケージ化され、制御装置５４として履物台２１の袋状部２２における足裏の土踏まず部位に収納されている。制御装置５４は、小型に形成できるうえに、中底部２４が中綿２４ａを入れた構成であるので、足で踏んでも痛みや違和感がない状態にできる。
【００２４】
図３に、上記ＬＥＤ４１…の発光制御回路構成のブロック図を示す。  
すなわち、室内履き１１の履物台２１における圧力センサ５２部分が踏まれ、圧力センサ５２が踏まれたことを検知すると、その検知信号を発光制御回路５１が入力し、圧力センサ５２が検知している間、各ＬＥＤ４１を一斉に点灯する。発光制御回路５１には、たとえばタイマを備えて、圧力センサ５２の１回の検知で所定時間ＬＥＤを点灯するようにしてもよい。  
このように構成された室内履き１１では、つぎのような作用効果を有する。
【００２５】
室内履き１１がベッドの下や部屋の出口、入口などに脱いで置かれている場合において、人体の足が室内履き１１を踏みつけたとき、その踏み付け力が圧力センサ５２で検知されると、室内履き１１の爪先側部位に設けられた６個のＬＥＤ４１…が点灯する。このため、室内履き１１の位置を認識することができ、電灯を点けなくても室内履き１１を正しく履くことができる。
【００２６】
そして、室内履き１１を正しく履いた状態では、前方、すなわち進行方向側が照らされる。
【００２７】
このため、歩行を行うと、図４に示したように、接地している側の足の前方が照らされ、次に接地する側の足の安全を確保することができる。
【００２８】
このように、単に足で踏むだけで室内履き１１の爪先側部位が発光する構成であるので、たとえば夜間の就寝中であっても、スイッチを投入したりする手間がないのでがさがさ騒がしくなることはなく、しかも光るのは足元だけであるのでまぶしい感じを与えてしまうこともなく、周囲の者を不測に起してしまうことを回避できる。つまり、静かに起きて速やかに歩行を開始することができる。
【００２９】
また、室内履き１１は立ち上がり部３５を有し、この立ち上がり部３５の先端部にＬＥＤ４１が備えられているので、図５に示したように、たとえば敷居や、床上の適宜の設置物など、床面６１よりも突出している部分を明確に照らすことができる。この結果、段差があっても安全な歩行を行うことができる。
【００３０】
さらに、室内履き１１は履物台２１に袋状部２２を有しており、この前後両端が開閉可能であって、袋状部２２内に制御装置５４や圧力センサ５２を収納しているので、電池交換やメンテナンスが容易に行える。
【００３１】
また、袋状部２２内には、たとえば懐炉などの温熱手段を収納しておくこともできる。温熱手段を入れておくと、室内履き１１を履いた時に暖かく、特に寒い冬の晩に使用する室内履きに好適である。暑い時季には逆に、保冷材を入れることができるとともに、消臭剤や芳香剤などを入れることもでき、袋状部２２は必要に応じて適宜使用できる。
【００３２】
以下、その他の例を説明する。説明に当たって、上記構成と同一または同等の部位については、同一の符号を付してその詳しい説明を省略する。  
図６は、左右一対の室内履き１１のうち一方１１ａを踏んだ時に、双方の室内履き１１ａ，１１ｂのＬＥＤ４１…を点灯可能にした例を示す。すなわち、制御装置５４には、図示しないが発信機と受信機が接続され、圧力センサ５２から発光制御回路５１に入力された検知信号に基づいてＬＥＤ４１…が発光するとともに、上記検知信号が発信機を介して他方の室内履き１１ｂの受信機に入力され、他方の室内履きのＬＥＤ４１…が発光する。ＬＥＤ４１…は、前述のようにアッパ３１に設けられるほか、履物台２１の底面にも設けられている。履物台２１の底面のＬＥＤ４１は、床面６１、すなわち下方を照らすように下に向けられる。
【００３３】
なお、一方の室内履き１１ａを踏んだときに他方の室内履き１１ｂのＬＥＤ４１のみが発光するように構成することもできる。
【００３４】
図７は、アッパ３１に設けられた立ち上がり部３５を変形可能で形態保持可能にした例を示す。すなわち、立ち上がり部３５内には、針金状の屈曲可能な保形部材７１が内蔵されている。図中７１ａは、保形部材７１の基部に一体形成され、アッパ３１に固定された基板であり、立ち上がり部３５を支持する。
【００３５】
このように構成された室内履き１１では、立ち上がり部３５が変形可能で形態保持も可能であるので、照明の高さ、位置を適宜変形し、室内履き１１を使用する空間の段差の違いに対応させることができる。また、玩具として使用することもできる。
【００３６】
図８は、履物台２１に設けられた袋状部２２を利用して玩具８１を備えた例を示している。すなわち、袋状部２２内には、踏みつけると空気を吐出し、踏み付けを解除すると空気を吸入しながら膨れるポンプ部材８２と、該ポンプ部材８２から吐出される空気を導く導出管８３と、該導出管８３の先端に接続された巻回伸縮部材８４とが備えられる。
【００３７】
ポンプ部材８２は、袋状部２２の爪先側部分に収納され、その下面が本底部２３の上面に固定される。導出管８３は、開口部の端に達しない長さに設定されている。また、巻回伸縮部材８４は、偏平な筒状で、常態でぜんまい状に巻き取られる方向に癖がつけられている。そして、不要なときには、図８に仮想線で示したように、袋状部２２内に収納可能である。
【００３８】
このような構成の室内履き１１では、圧力センサ５２が踏まれたことを検知した時には上述のようにＬＥＤ４１…の発光を行う一方、ポンプ部材８２が踏みつけられると、巻回伸縮部材８４が蛇の舌のように袋状部２２から出入りする。
【００３９】
このため、発光により安全の確保等の実益がある上に、玩具としての楽しみも得られる。
【００４０】
図９は、袋状部２２内に収納される玩具８１の他の例を示している。すなわち、この例の玩具は、図８に示したポンプ部材および導出管と同様のポンプ部材８２と導出管８３を有するとともに、この導出管８３の先端に着脱可能に嵌め付けられる飛び出し部材８５を有する。飛び出し部材８５は合成樹脂のブロー成形で得られ、後端には導出管８３の先端に嵌め付ける接続管部８５ａが形成されている。また、この例で、飛び出し部材８５は自動車をかたどっており、下面には回転可能な車輪８５ｂを備えている。
【００４１】
このような構成の室内履き１１でも、圧力センサ５２が踏まれたことを検知した時には上述のようにＬＥＤ４１…の発光を行う一方、ポンプ部材８２が踏みつけられると、飛び出し部材８５がポンと音を立てて飛び出し、床面６１を走行する。
【００４２】
このため、発光により安全の確保等の実益がある上に、玩具としての楽しみも得られる。
【００４３】
図１０、図１１は、アッパ３１が先閉じタイプの甲皮である、一般的な形態のスリッパと同様の室内履き１１の例である。
【００４４】
複数個のＬＥＤ４１…は、履物台２１とアッパ３１との間から履物台２１とアッパ３１との形状に沿って前方に突出するように取り付けられ、これらＬＥＤ４１…は、透明のチューブ状のカバー部材４２で覆われている。制御装置５４および圧力センサ５２は、履物台２１に収納される。
【００４５】
このように構成された室内履き１１でも、履物台２１を足で踏むと先端縁に設けられた複数個のＬＥＤ４１…が発光し、前方を照らす。
【００４６】
図１２は、袋状部２２を利用せずに玩具的色彩を強めた室内履き１１を示す。
【００４７】
すなわち、アッパ３１が先開きタイプの甲皮である、一般的な形態のスリッパと同様の室内履き１１において、その先端縁に、図１０、図１１に示した室内履き１１と同様にＬＥＤ４１…を備えるとともに、アッパ３１の上面に、ベッドライト若しくは目を印象付けるような形態の上方に立ち上がる立ち上がり部３６が形成され、この立ち上がり部３６の先端部にＬＥＤ４１が備えられている。
【００４８】
また、履物台２１には、回転自在な車輪２５が備えられている。この車輪２５は、歩行を妨げないように、図１３に示した如く、履物台２１が踏まれた時に車輪２５をハの字に変位させるべく変形する可撓性を有した車軸２６で支持されている。
【００４９】
このように構成された室内履き１１では、履物台２１が踏まれたことを検知した時には上述のようにＬＥＤ４１…の発光を行う一方、足に履かないときには車輪２５が回転可能であるので自動車玩具として使用できる。
【００５０】
この場合、図１２、図３に仮想線で示したように切り換えスイッチ９１を備え、足で履物台２１を踏まなくともＬＥＤ４１…が点灯するようにすると、ＬＥＤ４１…を発光させた状態で遊びに供することができる。
【００５１】
図１４、図１５は、袋状部２２を利用して、玩具８１ではなく実用に供するものを備えた例を示している。すなわち、袋状部２２，２２を上下に２個備え、上側の袋状部２２には前述の通り制御装置５４等を備えるとともに、下側の袋状部２２には、ハエたたき状の叩き部材８６を出没自在に備えた室内履きである。
【００５２】
叩き部材８６は、偏平な軸部８７の先端に略方形をなす叩き面８８を備え、軸部８７の基端には横に張り出す抜け止め部８７ａを備えている。この叩き部材８６を収納する上記下側の袋状部２２は、本底部２３内に形成されている。その形状は、叩き部材８６を抜け止め可能に保持するため、内部が抜け止め部８７ａをスライド可能にする幅に形成され、長さ方向の中間部にそれより幅せまで軸部８７に嵌合対応する幅の幅狭部が形成され、先端側には、叩き面８８を収容する大開口部が形成されたものである。
【００５３】
このように構成された室内履き１１では、履物台２１が踏まれたことを検知した時には上述のようにＬＥＤ４１…の発光を行う。一方、室内や廊下等、室内履き１１の有る場所で、たとえばゴキブリなどを発見した時には、叩き部材８６をさっと伸ばして、ゴキブリ等を叩くために使用する。
【００５４】
ゴキブリなどの発見時にはこれまで、ついつい手近に有るスリッパを利用してゴキブリを叩こうとしがちであり、多くの人がそのようにしていると思われるが、室内履きは一般的にその底面が布帛などで形成されている場合が多々あり、汚れると洗濯が大変であった。しかし、上記の叩き部材８６を使用すれば、このような場合にも対応でき、室内履き１１を汚してしまうことを回避できる。
【００５５】
また、このようなとき、切り換えスイッチ９１を投入すれば、室内履き１１を足に履かなくてもＬＥＤ４１…を点灯することができるので、暗闇でも的確にゴキブリ等を叩くことができる。
【００５６】
このように、発光により安全の確保等の実益がある上に、便利な道具としての使用も期待できる。
【００５７】
この発明の構成と上記一形態の構成との対応において、  
この発明の光源は、上記一形態のＬＥＤ４１に対応するも、  
この発明は上記構成のみに限定されるものではなく、その他の形態を採用することができる。  
たとえば、ＬＥＤのほかに小型の電球を使用するもよい。
【００５８】
また、圧力センサの取り付け位置は、足裏の踵に対応する部位のみではなく、爪先側の親指の付け根に対応する部位や足裏の全面に対応する部位などに設定することもできる。圧力センサの検知時を光源の発光時とした場合には、圧力センサの取り付け位置によって発光のタイミングを変えることが可能である。
【００５９】
さらに、袋状部の開口部は一箇所のみであるもよい。
【図面の簡単な説明】
【００６０】
【図１】室内履きの斜視図。
【図２】室内履きの側面図及び断面図。
【図３】制御回路ブロック図。
【図４】作用状態の平面図。
【図５】作用状態の側面図。
【図６】他の例に係る室内履きの作用状態の一部断面側面図。
【図７】他の例の係る室内履きの側面図。
【図８】他の例に係る室内履きの断面図。
【図９】他の例に係る室内履きの断面図。
【図１０】他の例に係る室内履きの斜視図。
【図１１】図１０に示した室内履きの一部断面側面図。
【図１２】他の例に係る室内履きの斜視図。
【図１３】図１２に示した室内履きの断面図。
【図１４】他の例に係る室内履きの斜視図。
【図１５】図１４に示した室内履きの一部断面側面図。
【符号の説明】
【００６１】
１１…室内履き
２１…履物台
２１ａ…接足面
２２…袋状部
３５，３６…立ち上がり部
４１…ＬＥＤ
５１…発光制御回路
５２…圧力センサ
【図１】
2008086559.tif 000003
【図２】
2008086559.tif 000004
【図３】
2008086559.tif 000005
【図４】
2008086559.tif 000006
【図５】
2008086559.tif 000007
【図６】
2008086559.tif 000008
【図７】
2008086559.tif 000009
【図８】
2008086559.tif 000010
【図９】
2008086559.tif 000011
【図１０】
2008086559.tif 000012
【図１１】
2008086559.tif 000013
【図１２】
2008086559.tif 000014
【図１３】
2008086559.tif 000015
【図１４】
2008086559.tif 000016
【図１５】
2008086559.tif 000017